(57)【要約】      （修正有）【課題】コンロ本体を分離・コンパクト化できて携帯性・格納性に優れると共に、使用状態での形態安定性に優れる携帯型コンロ装置を提供する。【解決手段】コンロ本体１は、浅底容器型のコンロ底形成部材６と、コンロ底形成部材６上に積載して周壁部３を形成する周壁形成部材７とから成り、周壁形成部材７の下部に、周壁形成部材７をコンロ底形成部材６に対し上方から降下させた時にコンロ底形成部材６に載置する載置部を設け、コンロ底形成部材６を周壁形成部材７に対し上方から降下させた時にはコンロ底形成部材６を周壁形成部材７内に収納配設可能に構成し、積載状態のコンロ底形成部材６と周壁形成部材７とを連結して分離不能な積載状態に保持する積載保持具１０を備えた携帯型コンロ装置である。【選択図】図１
0003204150.tif 000002
【実用新案登録請求の範囲】
【請求項１】
底壁部の外周に周壁部が設けられている上部開口型のコンロ本体を備え、このコンロ本体の上部開口部に、焼網体が装着可能に構成されている携帯型コンロ装置において、前記コンロ本体は、前記底壁部を有する浅底容器型のコンロ底形成部材と、このコンロ底形成部材上に着脱自在に積載されることにより前記周壁部を形成する環状の周壁形成部材とから成り、このコンロ底形成部材は、その外径寸法が前記周壁形成部材の外径寸法より径小に形成されて、このコンロ底形成部材を周壁形成部材内に収納配設可能に構成され、前記周壁形成部材の下部に、この周壁形成部材を前記コンロ底形成部材に対し上方から降下させた時にコンロ底形成部材に載置可能な載置部が設けられて、この載置部をコンロ底形成部材に載置することによりコンロ底形成部材上に周壁形成部材が積載され、コンロ底形成部材を周壁形成部材に対し上方から降下させた時には、コンロ底形成部材を周壁形成部材内に収納配設可能に構成されているか、若しくは前記コンロ底形成部材の上部に、前記周壁形成部材をコンロ底形成部材に対し上方から降下させた時に周壁形成部材が載置可能な載置受部が設けられて、この載置受部に周壁形成部材を載置することによりコンロ底形成部材上に周壁形成部材が積載され、コンロ底形成部材を周壁形成部材に対し上方から降下させた時には、コンロ底形成部材を周壁形成部材内に収納配設可能に構成されており、積載状態のコンロ底形成部材と周壁形成部材とを連結解除可能に連結してこのコンロ底形成部材と周壁形成部材とを分離不能な積載状態に保持する積載保持具を備えていることを特徴とする携帯型コンロ装置。
【請求項２】
前記積載保持具は、下部に前記コンロ底形成部材の底壁部に当接する当接部が設けられると共に、上部に前記周壁形成部材に設けた係止受部に係脱自在に係止可能な係止部が設けられており、積載状態のコンロ底形成部材と周壁形成部材に対し、前記当接部を前記底壁部に当接した状態で前記係止部を前記係止受部に係止することにより、コンロ底形成部材と周壁形成部材とが積載保持具により連結されるように構成されていることを特徴とする請求項１記載の携帯型コンロ装置。
【請求項３】
複数の前記積載保持具を備えて、この複数の積載保持具により前記コンロ底形成部材と前記周壁形成部材とが連結されるように構成され、この各積載保持具は、前記当接部より下方へ突出状態に接地脚部が設けられていることを特徴とする請求項２記載の携帯型コンロ装置。
【請求項４】
前記周壁形成部材は、少なくとも環状の第一周壁形成部材と環状の第二周壁形成部材とから成り、この第一周壁形成部材上に着脱自在に第二周壁形成部材を積載可能に構成され、この第一周壁形成部材は、その外径寸法が前記第二周壁形成部材より径小に形成されて、この第一周壁形成部材を第二周壁形成部材内に収納配設可能に構成されており、前記第二周壁形成部材の下部に、この第二周壁形成部材を前記第一周壁形成部材に対し上方から降下させた時に第一周壁形成部材に載置可能な載置部が設けられて、この載置部を第一周壁形成部材に載置することにより第一周壁形成部材上に第二周壁形成部材が積載され、第一周壁形成部材を第二周壁形成部材に対し上方から降下させた時には、第一周壁形成部材を第二周壁形成部材内に収納配設可能に構成されているか、若しくは前記第一周壁形成部材の上部に、前記第二周壁形成部材を第一周壁形成部材に対し上方から降下させた時に第二周壁形成部材が載置可能な載置受部が設けられて、この載置受部に第二周壁形成部材を載置することにより第一周壁形成部材上に第二周壁形成部材が積載され、第一周壁形成部材を第二周壁形成部材に対し上方から降下させた時には、第一周壁形成部材を第二周壁形成部材内に収納配設可能に構成されていることを特徴とする請求項１〜３のいずれか１項に記載の携帯型コンロ装置。
【考案の詳細な説明】
【技術分野】
【０００１】
本考案は、例えば、アウトドアレジャーでの使用に適した携帯型コンロ装置に関するものである。
【背景技術】
【０００２】
少人数（１〜３人程度）でのアウトドアレジャー用に適した小型軽量の携帯型コンロ装置が従来から実施されている（例えば、特許文献１参照）。
【０００３】
この携帯型コンロ装置を簡単に説明すると、バケット型のコンパクトなコンロ本体と、このコンロ本体に着脱自在に装着可能な接地脚フレームと、このコンロ本体の上部開口部に装着可能な焼網体とから成るものとされ、携帯時や格納時には、コンロ本体から接地脚フレームを取り外してこの接地脚フレームを上下反転し、この上下反転した接地脚フレームにコンロ本体をセットすることにより、高さを略コンロ本体大にコンパクト化できるように構成されている。
【先行技術文献】
【特許文献】
【０００４】
【特許文献１】意匠登録第１３９２２３１号公報
【考案の概要】
【考案が解決しようとする課題】
【０００５】
本考案は、上記特許文献１のような携帯型コンロ装置の改良に係るもので、コンロ本体の更なるコンパクト化が可能で携帯性・格納性に優れると共に、コンロ本体の使用時の形態安定性に優れてこの使用状態でのコンロ本体の持ち運びなども容易に行われる実用性に優れた携帯型コンロ装置を提案するものである。
【課題を解決するための手段】
【０００６】
添付図面を参照して本考案の要旨を説明する。
【０００７】
底壁部２の外周に周壁部３が設けられている上部開口型のコンロ本体１を備え、このコンロ本体１の上部開口部４に、焼網体５が装着可能に構成されている携帯型コンロ装置において、前記コンロ本体１は、前記底壁部２を有する浅底容器型のコンロ底形成部材６と、このコンロ底形成部材６上に着脱自在に積載されることにより前記周壁部３を形成する環状の周壁形成部材７とから成り、このコンロ底形成部材６は、その外径寸法が前記周壁形成部材７の外径寸法より径小に形成されて、このコンロ底形成部材６を周壁形成部材７内に収納配設可能に構成され、前記周壁形成部材７の下部に、この周壁形成部材７を前記コンロ底形成部材６に対し上方から降下させた時にコンロ底形成部材６に載置可能な載置部８が設けられて、この載置部８をコンロ底形成部材６に載置することによりコンロ底形成部材６上に周壁形成部材７が積載され、コンロ底形成部材６を周壁形成部材７に対し上方から降下させた時には、コンロ底形成部材６を周壁形成部材７内に収納配設可能に構成されているか、若しくは前記コンロ底形成部材６の上部に、前記周壁形成部材７をコンロ底形成部材６に対し上方から降下させた時に周壁形成部材７が載置可能な載置受部９が設けられて、この載置受部９に周壁形成部材７を載置することによりコンロ底形成部材６上に周壁形成部材７が積載され、コンロ底形成部材６を周壁形成部材７に対し上方から降下させた時には、コンロ底形成部材６を周壁形成部材７内に収納配設可能に構成されており、積載状態のコンロ底形成部材６と周壁形成部材７とを連結解除可能に連結してこのコンロ底形成部材６と周壁形成部材７とを分離不能な積載状態に保持する積載保持具10を備えていることを特徴とする携帯型コンロ装置に係るものである。
【０００８】
また、前記積載保持具10は、下部に前記コンロ底形成部材６の底壁部２に当接する当接部11が設けられると共に、上部に前記周壁形成部材７に設けた係止受部13に係脱自在に係止可能な係止部12が設けられており、積載状態のコンロ底形成部材６と周壁形成部材７に対し、前記当接部11を前記底壁部２に当接した状態で前記係止部12を前記係止受部13に係止することにより、コンロ底形成部材６と周壁形成部材７とが積載保持具10により連結されるように構成されていることを特徴とする請求項１記載の携帯型コンロ装置に係るものである。
【０００９】
また、複数の前記積載保持具10を備えて、この複数の積載保持具10により前記コンロ底形成部材６と前記周壁形成部材７とが連結されるように構成され、この各積載保持具10は、前記当接部11より下方へ突出状態に接地脚部14が設けられていることを特徴とする請求項２記載の携帯型コンロ装置に係るものである。
【００１０】
また、前記周壁形成部材７は、少なくとも環状の第一周壁形成部材７Ａと環状の第二周壁形成部材７Ｂとから成り、この第一周壁形成部材７Ａ上に着脱自在に第二周壁形成部材７Ｂを積載可能に構成され、この第一周壁形成部材７Ａは、その外径寸法が前記第二周壁形成部材７Ｂより径小に形成されて、この第一周壁形成部材７Ａを第二周壁形成部材７Ｂ内に収納配設可能に構成されており、前記第二周壁形成部材７Ｂの下部に、この第二周壁形成部材７Ｂを前記第一周壁形成部材７Ａに対し上方から降下させた時に第一周壁形成部材７Ａに載置可能な載置部８が設けられて、この載置部８を第一周壁形成部材７Ａに載置することにより第一周壁形成部材７Ａ上に第二周壁形成部材７Ｂが積載され、第一周壁形成部材７Ａを第二周壁形成部材７Ｂに対し上方から降下させた時には、第一周壁形成部材７Ａを第二周壁形成部材７Ｂ内に収納配設可能に構成されているか、若しくは前記第一周壁形成部材７Ａの上部に、前記第二周壁形成部材７Ｂを第一周壁形成部材７Ａに対し上方から降下させた時に第二周壁形成部材７Ｂが載置可能な載置受部18が設けられて、この載置受部18に第二周壁形成部材７Ｂを載置することにより第一周壁形成部材７Ａ上に第二周壁形成部材７Ｂが積載され、第一周壁形成部材７Ａを第二周壁形成部材７Ｂに対し上方から降下させた時には、第一周壁形成部材７Ａを第二周壁形成部材７Ｂ内に収納配設可能に構成されていることを特徴とする請求項１〜３のいずれか１項に記載の携帯型コンロ装置に係るものである。
【考案の効果】
【００１１】
本考案は上述のように構成したから、コンロ本体をコンロ底形成部材と周壁形成部材とに分離でき、コンロ底形成部材を周壁形成部材内に収納配設することにより著しくコンパクト化（コンロ本体の高さを短縮）できるために携帯性・格納性に優れ、しかも本考案は、コンロ底形成部材上に周壁形成部材を積載した状態を積載保持具で分離不能に保持でき、これによりコンロ本体の形態を安定化できて調理などを安全確実に行うことができると共に、例えば使用済み燃料をコンロ本体内に入れたまま燃料廃棄場所へ運んだり、洗浄のためにコンロ本体を炊事場などへ運んだりすることも容易に可能となるなど、極めて実用性に優れた携帯型コンロ装置となる。
【００１２】
また、請求項２記載の考案においては、コンロ底形成部材と周壁形成部材とを確実に連結して積載状態に保持できる積載保持具を簡易構成にして容易に設計実現可能となる一層実用性に優れた構成の携帯型コンロ装置となる。
【００１３】
また、請求項３記載の考案においては、複数の積載保持具によりコンロ底形成部材と周壁形成部材とを一層確固な積載状態に保持でき、しかも複数の積載保持具がコンロ本体の接地脚部の役割も兼用できるなど、一層実用性に優れた構成の携帯型コンロ装置となる。
【００１４】
また、請求項４記載の考案においては、周壁形成部材が少なくとも第一周壁形成部材と第二周壁形成部材とから成り、この第一周壁形成部材を第二周壁形成部材内に収納配設可能に構成されているため、コンロ本体を一層コンパクト化できて（コンロ本体の高さ（周壁部の高さ）を一層短縮できて）優れた携帯性・格納性を発揮する極めて実用的な携帯型コンロ装置となる。
【図面の簡単な説明】
【００１５】
【図１】本実施例の使用状態を示す斜視図である。
【図２】図１の正断面図である。
【図３】本実施例を示す分解斜視図である。
【図４】本実施例の積載保持具の装着手順を示す部分拡大説明断面図である。
【図５】本実施例の積載保持具の係止部を、係止受部へ係止した状態を示す部分拡大説明図である。
【図６】本実施例の格納状態を示す正断面図である。
【図７】本実施例の使用状態において、焼網体を焼網操作具で持ち上げた状態を示す斜視図である。
【考案を実施するための形態】
【００１６】
好適と考える本考案の実施形態を、図面に基づいて本考案の作用を示して簡単に説明する。
【００１７】
環状の周壁形成部材７を浅底容器型のコンロ底形成部材６に対し上方から降下させて周壁形成部材７下部の載置部８をコンロ底形成部材６に載置するか、若しくは周壁形成部材７をコンロ底形成部材６に対し上方から降下させてコンロ底形成部材６上部の載置受部９に周壁形成部材７を載置すると、コンロ底形成部材６上に周壁形成部材７が積載されて底壁部２の外周に周壁部３が設けられた上部開口型のコンロ本体１が形成される（組立てられる）。
【００１８】
このコンロ本体１内に燃料（熱源）を収容し、例えばコンロ本体１の上部開口部４に焼網体５を装着すると、この焼網体５上で食材を焼調理可能となる。
【００１９】
また、このコンロ本体１は、積載状態のコンロ底形成部材６と周壁形成部材７とを積載保持具10により連結して分離不能な積載状態に保持することができる。
【００２０】
従って、コンロ本体１が分離可能で後述のようにコンパクトな格納状態にできる構成でありながら、使用時にはコンロ本体１の形態を確固に安定化できて調理などを安全確実に行うことができ、その上、例えば使用済み燃料を廃棄のためにコンロ本体１内に入れたまま燃料廃棄場所へと運んだり、洗浄のためにコンロ本体１を炊事場などへ運んだりする時にも、不意にコンロ底形成部材６と周壁形成部材７とが分離してしまうような不都合がなく、実用的である。
【００２１】
携帯時や格納時には、積載保持具10による連結を解除してコンロ底形成部材６と周壁形成部材７とを分離し、このコンロ底形成部材６を周壁形成部材７に対し上方から降下させると、コンロ底形成部材６の外径寸法が周壁形成部材７の外径寸法より径小であることから、コンロ底形成部材６を周壁形成部材７内に収納配設可能である。
【００２２】
従って、これによりコンロ本体１の高さを著しく短縮でき、コンパクトな格納状態を実現できて携帯性に優れる。
【００２３】
尚、請求項１中の「環状の周壁形成部材７」なる記載は、円環状（楕円環状も含む）や角環状などの環状物を全て含む意味合いで用いている。
【実施例】
【００２４】
本考案の具体的な実施例について図面に基づいて説明する。
【００２５】
本実施例は、底壁部２の外周に周壁部３が設けられている上部開口型のコンロ本体１を備え、このコンロ本体１の上部開口部４に焼網体５が装着可能に構成されている携帯型コンロ装置に係るものである。
【００２６】
また、本実施例のコンロ本体１は、平面視円形の前記底壁部２の外周全周に低い立壁部15が立ち上がる浅底容器型の金属製コンロ底形成部材６と、このコンロ底形成部材６の前記立壁部15上に着脱自在に積載されてこの立壁部15とともに前記周壁部３を形成する円環状の金属製周壁形成部材７とから構成されている。即ち、本実施例のコンロ本体１は、コンロ底形成部材６上に周壁形成部材７を積載することによって使用可能な形態（使用状態）となり、この使用状態は略有底円筒バケット型をなすように構成されている（図１〜図３参照）。図中符号16はコンロ底形成部材６に設けられている通気孔である。
【００２７】
また、本実施例の周壁形成部材７は、円環状の第一周壁形成部材７Ａと円環状の第二周壁形成部材７Ｂとから成り、この第一周壁形成部材７Ａ上に着脱自在に第二周壁形成部材７Ｂを積載可能に構成されると共に、この第二周壁形成部材７Ｂの上部開口部が前記上部開口部４として構成されて、この上部開口部４に前記焼網体５を装着可能な焼網装着部17が設けられている。
【００２８】
また、本実施例では、前記コンロ底形成部材６は、その外径寸法が前記第一周壁形成部材７Ａの外径寸法より径小に形成されて、このコンロ底形成部材６を第一周壁形成部材７Ａ内に収納配設可能に構成され、この第一周壁形成部材７Ａは、その外径寸法が前記第二周壁形成部材７Ｂより径小に形成されて、この第一周壁形成部材７Ａを第二周壁形成部材７Ｂ内に収納配設可能に構成されている。
【００２９】
即ち、第二周壁形成部材７Ｂ内に第一周壁形成部材７Ａを収納配設し、この第一周壁形成部材７Ａ内にコンロ底形成部材６を収納配設することにより、高さのない扁平な格納状態とできるように構成されている（図６参照）。
【００３０】
また、このコンロ底形成部材６と第一周壁形成部材７Ａとは、その高さ寸法が略同一高さとなる形状に形成され、前記第二周壁形成部材７Ｂは、その高さ寸法がコンロ底形成部材６と第一周壁形成部材７Ａよりやや高くなる形状に形成されて、前記格納状態では、全体が略第二周壁形成部材７Ｂ大となるように構成され、この格納状態でも、第二周壁形成部材７Ｂの上部開口部４に焼網体５を装着できるように構成されている。
【００３１】
このコンロ底形成部材６と第一周壁形成部材７Ａとの積載構造は、第一周壁形成部材７Ａの下部にこの第一周壁形成部材７Ａを前記コンロ底形成部材６に対し上方から降下させた時にコンロ底形成部材６の前記立壁部15の上縁部に載置可能な載置部８が設けられて、この載置部８をコンロ底形成部材６に載置することによりコンロ底形成部材６上に第一周壁形成部材７Ａが積載される構造とされている。
【００３２】
更に具体的には、前記第一周壁形成部材７Ａの下端部の全周が内向き鍔状に折曲突出され、この内向き鍔部は、その内側部分が外側部分より段差部を介して一段上方へ位置する形状となるように折曲形成されて、この内側上段鍔部が前記載置部８として構成されている。
【００３３】
また、前記コンロ底形成部材６の立壁部15の上端部の全周が外向き鍔状に折曲突出されて、この外向き鍔部が前記載置部８を上方から載置可能な載置受部９として構成され、この載置受部９に載置部８を載置すると、この載置部８外側に存する前記段差部により載置部８が載置受部９に対し位置ズレ防止される（コンロ底形成部材６に対して第一周壁形成部材７Ａが位置ズレ防止状態に積載される）ように構成されている。
【００３４】
従って、第一周壁形成部材７Ａをコンロ底形成部材６に対し上方から降下させた時には、載置部８をコンロ底形成部材６（の載置受部９）に載置できてコンロ底形成部材６上に周壁形成部材７が積載され、逆にコンロ底形成部材６を周壁形成部材７に対し上方から降下させた時には、コンロ底形成部材６を周壁形成部材７内に収納配設可能に構成されている。
【００３５】
また、第一周壁形成部材７Ａと第二周壁形成部材７Ｂとの積載構造は、コンロ底形成部材６と第一周壁形成部材７Ａの積載構造と同等の積載構造を採用している。
【００３６】
即ち、前記第二周壁形成部材７Ｂの下端部の全周に前記段差部と前記載置部８とが折曲突出されている一方、前記第一周壁形成部材７Ａの上端部の全周が外向き鍔状に折曲突出されて、この外向き鍔部が第二周壁形成部材７Ｂの前記載置部８を載置可能な載置受部18として構成され、この載置受部18に載置部８を載置すると、この載置部８外側に存する前記段差部により載置部８が載置受部18に対し位置ズレ防止される（第一周壁形成部材７Ａに対して第二周壁形成部材７Ｂが位置ズレ防止状態に積載される）積載構造に構成されている。
【００３７】
従って、第二周壁形成部材７Ｂを第一周壁形成部材７Ａに対し上方から降下させた時には、載置部８を第一周壁形成部材７Ａ（の載置受部18）に載置できて第一周壁形成部材７Ａ上に第二周壁形成部材７Ｂが積載され、逆に第一周壁形成部材７Ａを第二周壁形成部材７Ｂに対し上方から降下させた時には、第一周壁形成部材７Ａを第二周壁形成部材７Ｂ内に収納配設可能に構成されている。
【００３８】
尚、本実施例では、このコンロ底形成部材６と第一周壁形成部材７Ａとの積載構造、並びに第一周壁形成部材７Ａと第二周壁形成部材７Ｂとの積載構造を、鍔状の前記載置部８と鍔状の前記載置受部９及び前記載置受部18とによる載置構造とした場合を示したが、鍔状の載置部８だけが設けられている構成を採用しても良いし、鍔状の載置受部９及び載置受部18だけが設けられている構成を採用しても良い。
【００３９】
また、本実施例の前記格納状態では、前記第二周壁形成部材７Ｂの載置部８上に前記第一周壁形成部材７Ａの載置部８より外側の鍔部分を載置して第二周壁形成部材７Ｂ内に第一周壁形成部材７Ａを収納配設するように構成されている（図６参照）。
【００４０】
本実施例は、図３に示すように、前記使用状態において前記コンロ本体１内に収納配設される燃料収容中皿体19を備えている。
【００４１】
この中皿体19は、前記コンロ底形成部材６より径小且つコンロ底形成部材６より底の浅い平面視円形の金属製浅底容器型に形成されていると共に、多数の通気穴20が散在形成されている。
【００４２】
また、この中皿体19は、その周壁の上端部が外向き鍔状に折曲突出されて、この外向き鍔部が、前記コンロ底形成部材６の前記載置受部９及び前記第一周壁形成部材７Ａの前記載置部８の上面に載置可能な載置鍔21として構成され、前記使用状態では、前記第一周壁形成部材７Ａの前記載置部８の上面に載置鍔21を載置することによってこの中皿体19がコンロ底形成部材６内に浮上状態で収納配設されるように構成され（図２，図４参照）、前記格納状態では、コンロ底形成部材６の載置受部９に載置鍔21を載置することによってこの中皿体19がコンロ底形成部材６内に浮上状態で収納配設される（図６参照）ように構成されている。
【００４３】
本実施例は、積載状態のコンロ底形成部材６と周壁形成部材７とを連結解除可能に連結してこのコンロ底形成部材６と周壁形成部材７とを分離不能な積載状態（使用状態）に保持する積載保持具10を備えている。
【００４４】
この積載保持具10は、図３〜図５に示すように、一本の金属製線材を略Ｕ字状に折り返し形成してその折り返し部側が下部、遊離先端側が上部となる縦長形状体に構成され、下部側に前記コンロ底形成部材６の底壁部２に下方から当接する当接部11が設けられると共に、上部に前記第二周壁形成部材７Ｂに設けた係止受部13に係脱自在に係止可能な係止部12が設けられている。
【００４５】
更に具体的には、積載保持具10の下部側の左右部に、この積載保持具10の左右方向と直交する方向に突出状態にして短い金属製線材から成る側面視略転コ字状の金属製線材が止着（溶接）されて、この左右のコ字状線材の突出上向き先端部が前記当接部11として構成されている。
【００４６】
また、積載保持具10の左右の上端部が互いの対向外側へ略直角に折曲されて、この折曲端部が前記係止部12として構成されている。
【００４７】
一方、前記第二周壁形成部材７Ｂの周面部には、左右一対の切り起こし片22が形成され、この左右一対の切り起こし片22に、前記係止部12を挿脱自在に挿通係止可能な貫通孔23が形成されて、この貫通孔23を有する左右一対の切り起こし片22が前記係止受部13として構成されている。
【００４８】
また、この係止受部13は、前記積載保持具10の左右一対の切り起こし片22の対向間隔が前記左右の係止部12先端部間の間隔より狭くなるように設定構成されており、積載保持具10の左右の線材を手で対向内側へ撓ませて左右の係止部12先端部の間隔を左右一対の切り起こし片22の対向間隔より狭くすることで、左右の係止部12を係止受部13の各貫通孔23に挿通係止でき、この係止状態から再び積載保持具10の左右の線材を手で対向内側へ撓ませて左右の係止部12先端部の間隔を左右一対の切り起こし片22の対向間隔より狭くすれば、左右の係止部12を係止受部13の各貫通孔23から挿脱させて積載保持具10を取り外しできるように構成されている。
【００４９】
また、この積載保持具10の前記当接部11を前記コンロ底形成部材６の底壁部２の下面に当接させた状態で前記係止部12が前記係止受部13に係止可能となるように、この積載保持具10の当接部11と係止部12との間の間隔寸法・形状が設定構成されていると共に、前記係止受部13の前記第二周壁形成部材７Ｂへの形成位置が設定構成されている。
【００５０】
この積載保持具10のコンロ本体１への装着方法（この積載保持具10を用いたコンロ底形成部材６と周壁形成部材７との連結方法）について説明すると、積載状態のコンロ底形成部材６と周壁形成部材７に対し前記記当接部11を前記底壁部２の下面に当接し、この当接部11の当接点を支点に積載保持具10の上部を周壁部３に接近する方向に回動させ、上述のようにして前記係止部12を前記係止受部13に係止することにより、コンロ底形成部材６と周壁形成部材７とが積載保持具10により連結されることになる（図４，図５参照）。
【００５１】
また、この係止受部13は、前記第二周壁形成部材７Ｂの周面部の周方向に等間隔を置いた三箇所に設けられている。即ち、本実施例では、三体の積載保持具10によって、コンロ底形成部材６と周壁形成部材７とを分離不能な安定積載状態に保持するように構成されている。
【００５２】
また、この積載保持具10は、前記当接部11より下方に突出する折り返し部分が接地脚部14として構成されている。即ち、本実施例のコンロ本体１は、三体の積載保持具10の接地脚部14による三点の安定接地構造に構成されている。
【００５３】
また、この積載保持具10は、前記中皿体19内に収納可能な大きさに形成されている。即ち、この積載保持具10は、三体全てが前記格納状態で中皿体19内に収納配設可能に構成されている。
【００５４】
また、本実施例は、前記焼網体５を操作可能な略Ｕ字状の金属製線材から成る焼網操作具24を備えており（図７参照）、この焼網操作具24も前記中皿体19内に収納可能な大きさに形成されている。即ち、この焼網操作具24は、前記格納状態で中皿体19内に収納配設可能に構成されている。
【００５５】
尚、本考案は、本実施例に限られるものではなく、各構成要件の具体的構成は適宜設計し得るものである。
【符号の説明】
【００５６】
１  コンロ本体
２  底壁部
３  周壁部
４  上部開口部
５  焼網体
６  コンロ底形成部材
７  周壁形成部材
７Ａ  第一周壁形成部材
７Ｂ  第二周壁形成部材
８  載置部
９  載置受部
10  積載保持具
11  当接部
12  係止部
13  係止受部
14  接地脚部
18  載置受部
【図１】
0003204150.tif 000003
【図２】
0003204150.tif 000004
【図３】
0003204150.tif 000005
【図４】
0003204150.tif 000006
【図５】
0003204150.tif 000007
【図６】
0003204150.tif 000008
【図７】
0003204150.tif 000009